(57)【特許請求の範囲】
【請求項１】
車両に搭載される音声操作認識装置であって、
ユーザの発話音声と最も尤度が高い語彙データを抽出する語彙抽出手段と、
放送局名を少なくとも含む語彙データと、該放送局名に対する周波数に選局するための選局指令を少なくとも含む指令データとが対応づけられた認識辞書を記憶する辞書記憶手段と、
前記辞書記憶手段が記憶する認識辞書から、前記語彙抽出手段により抽出した語彙データに対応する指令データを選択する指令選択手段と、
前記指令選択手段により選択された指令データが前記選局指令を示す場合、該指令データに基づく制御コマンドを放送受信機に出力する指令出力手段と、
前記車両の現在位置を表す位置情報を取得する位置取得手段と、
前記放送局名と該放送局名に対する一ないし複数の周波数とが対応づけられた放送局テーブルを記憶するテーブル記憶手段と、
前記テーブル記憶手段が記憶する放送局テーブルから、前記放送受信機の受信強度が予め設定された閾値以上である複数の周波数に対応する放送局名を選択する局名選択手段と、
前記局名選択手段により選択された同一の放送局名に対応する周波数が複数存在する場合、前記テーブル記憶手段が記憶する放送局テーブルから、前記位置取得手段により取得した位置情報に基づいて規定される優先条件に従って一つの周波数を選択する周波数選択手段と、
前記局名選択手段および前記周波数選択手段により選択した放送局名および周波数に、前記辞書記憶手段が記憶する認識辞書に含まれる放送局名および周波数を更新する辞書更新手段と、
を備え、
前記放送受信機は、ＡＭ／ＦＭ用ラジオチューナであり、
前記放送局テーブルは、前記放送局名に対する周波数毎に、該周波数の放送信号を発信する電波出力塔がカバーする放送エリアがさらに対応づけられており、
前記優先条件は、前記車両の現在位置が、同一の放送局名に対するＡＭ信号の放送エリアとＦＭ信号の放送エリアとの重なる領域内である場合、ＦＭ信号の周波数を優先的に選択することであることを特徴とする音声操作認識装置。
【請求項２】
同一番組をＡＭ信号及びＦＭ信号で配信する複数の放送局名からなる同一名称リストを記憶するリスト記憶手段を備え、
前記周波数選択手段は、前記リスト記憶手段が記憶する同一名称リストを検索することによって、前記局名選択手段により選択された同一の放送局名に対応する周波数が複数存在するか否かを判断することを特徴とする請求項１に記載の音声操作認識装置。
【発明の詳細な説明】
【技術分野】
【０００１】
本発明は、オーディオやナビゲーションの操作指示を、ユーザの発話音声に基づいて認識する音声操作認識装置に関する。
【背景技術】
【０００２】
従来より、マイクロフォンからの入力音声と、内部に記憶する音声辞書内の語彙データとを照合して最も一致度が高い（即ち、尤度が高い）ものを抽出し、その抽出結果に応じた各種処理を実行するための操作指令を認識することにより、その認識した操作指令を自装置に接続されている他装置に出力する音声操作認識装置が知られている。
【０００３】
この種の音声操作認識装置の一例として、車両用のオーディオ機能とナビゲーション機能とを一体化したいわゆる車載ＡＶＮ（Audio Visual Navigation）システムに用いられ、ハンズビジーやアイズビジーの状況にある運転者（即ち、ユーザ）の発話音声（名称や番号など）に基づいて、ユーザの意図するオーディオやナビゲーションの操作指示を認識するＡＶＮ用認識装置が知られている。
【０００４】
なお、ＡＶＮ用認識装置では、入力音声に対する尤度の高いものが音声辞書内の語彙データに複数ある（つまり、入力音声に同音異義語が含まれている）場合、その入力音声に対応する語彙データを識別可能な二者択一の質問と、その質問に対するユーザからの回答とを繰り返し行う対話方式によって、ユーザの意図する操作指示を認識している（例えば、特許文献１参照）。
【０００５】
また、ＡＶＮ用認識装置は、ユーザの意図する操作指示を認識すると、その認識した操作指示に応じて、目的地や経路地の設定，ルート変更，周辺施設の検索，地図表示の変更などを行うための制御コマンドをナビゲーション装置に出力したり、ＡＭ／ＦＭラジオの選局を行うための指令信号をオーディオ装置に出力するように構成されている。
【特許文献１】特開２００１−２１５９９５号公報
【発明の開示】
【発明が解決しようとする課題】
【０００６】
ところで、ＡＭ／ＦＭラジオの放送側である放送局は、一般的に放送エリアが都道府県単位で分かれており、さらにその放送エリア内に設置された複数の電波出力塔を介して自局の番組を放送している。このうち、ＡＭラジオの放送局（以下、ＡＭ放送局という）には、例えば富山県を放送エリアとする北日本放送のように、自局の放送エリア内にアジア近隣諸国（韓国など）からの放送との混信が激しい地域（以下、混信エリアという）を有する放送局（以下、対象放送局という）が存在する。そして、このような対象放送局は、前述した混信を回避するために、混信エリア用の電波出力塔（いわゆる中継所）を別途設けて、その中継所から同じＡＭ番組をＦＭ放送で発信している。
【０００７】
しかし、従来のＡＶＮ用認識装置では、車両が混信エリア内を走行している際に、ラジオチューナがＡＭ放送とＦＭ放送との両方で対象放送局の番組を受信するため、運転者が対象放送局の番組を聴こうとして対象放送局名（例えば、北日本放送）を発話すると、対話方式を用いてＡＭ放送またはＦＭ放送のいずれかをユーザに選択させなければならなかった。
【０００８】
このため、ラジオチューナが受信可能な複数のラジオ放送局の中から既に一つのＡＭ放送局（例えば、北日本放送）を選択したユーザにとって、再び二者択一の質問をされることが煩わしいという問題や、同じＡＭ番組がＦＭ放送でも発信されている理由を知らないユーザにとって、ＡＭ放送またはＦＭ放送のいずれかの選択を迫られても困惑してしまうという問題があった。
【０００９】
本発明は、上記問題点を解決するために、ユーザの発話音声により適切な選局を自動的に行うことが可能な音声操作認識装置を提供することを目的とする。
【課題を解決するための手段】
【００１０】
上記目的を達成するためになされた請求項１に記載の音声操作認識装置は、車両に搭載される装置であって、放送局名を少なくとも含む語彙データと、その放送局名に対する周波数に選局するための選局指令を少なくとも含む指令データとが対応づけられた認識辞書が、辞書記憶手段に記憶され、放送局名とその放送局名に対する一ないし複数の周波数とが対応づけられた放送局テーブルが、テーブル記憶手段に記憶されている。
【００１１】
そして、語彙抽出手段が、ユーザの発話音声と最も尤度（類似度）が高い語彙データを抽出し、指令選択手段が、辞書記憶手段により記憶されている認識辞書から、語彙抽出手段により抽出した語彙データに対応する指令データを選択し、指令出力手段が、指令選択手段により選択された指令データが選局指令を示す場合、その指令データに基づく制御コマンドを放送受信機に出力するように構成されている。
【００１２】
さらに、位置取得手段が、車両の現在位置を表す位置情報を取得し、局名選択手段が、テーブル記憶手段により記憶されている放送局テーブルから、放送受信機の受信強度が予め設定された閾値以上である複数の周波数に対応する放送局名を選択する。
【００１３】
ここで、周波数選択手段が、局名選択手段により選択された同一の放送局名に対応する周波数が複数存在する場合、テーブル記憶手段により記憶されている放送局テーブルから、位置取得手段により取得した位置情報に基づいて規定される優先条件に従って一つの周波数を選択する。
【００１４】
そして、辞書更新手段が、局名選択手段および周波数選択手段により選択した放送局名および周波数に、辞書記憶手段により記憶されている認識辞書に含まれる放送局名および周波数を更新する。
【００１５】
このように構成された音声操作認識装置では、ユーザが放送局名を発話した時の入力音声に基づく選局指令（つまり、ユーザの意図する操作指示）を認識し、その認識した選局指令に基づく制御コマンドを放送受信機に出力すると共に、選局指令を認識する時に用いられる認識辞書を、車両の現在位置に応じた放送局名と周波数とを一対一に対応させたものに自動更新する。
【００１６】
したがって、本発明の音声操作認識装置によれば、ユーザにより発話された放送局名に対して選局するための周波数が、周波数を識別するためのいわゆる対話方式を用いることなく一意に決まるため、ユーザの発話音声により適切な選局を自動的に行うことができる。
【００１７】
また、放送受信機がＡＭ／ＦＭ用ラジオチューナであり、放送局テーブルは、放送局名に対する周波数毎に、その周波数の放送信号を発信する電波出力塔がカバーする放送エリアがさらに対応づけられており、優先条件は、車両の現在位置が、同一の放送局名に対するＡＭ信号の放送エリアとＦＭ信号の放送エリアとの重なる領域内である場合、ＦＭ信号の周波数を優先的に選択する。
【００１８】
このように構成された音声操作認識装置によれば、アジア近隣諸国（韓国など）からのＡＭ信号との混信が激しい地域（例えば、富山県の新川局エリア）を走行中であっても、その混信を避けるための電波出力塔から発信されている同じＡＭ番組のＦＭ信号を自動選局することができる。
【００１９】
なお、音声操作認識装置は、請求項２に記載のように、同一番組をＡＭ信号及びＦＭ信号で配信する複数の放送局名からなる同一名称リストが、リスト記憶手段に記憶され、周波数選択手段が、リスト記憶手段により記憶されている同一名称リストを検索することによって、局名選択手段により選択された同一の放送局名に対応する周波数が複数存在するか否かを判断することが望ましい。
【００２０】
この場合、放送受信機の受信強度が高い周波数に対応する放送局名の中に、例えば新川局エリアを有する北日本放送のように同じＡＭ番組をＦＭ信号でも放送している放送局名が存在するか否かを迅速に判断することができる。
【発明を実施するための最良の形態】
【００２１】
以下に、本発明の実施形態を図面と共に説明する。
＜ＡＶＮシステムの全体構成＞
図１は、本実施形態のＡＶＮシステム１の構成を示すブロック図である。
【００２２】
図１に示すように、ＡＶＮシステム１は、車両用のオーディオヴィジュアル（Audio Visual；以下、ＡＶという）機能とナビゲーション（Navigation；以下、ＮＡＶＩという）機能とを一体化した車載システムであり、ＡＶ機能を実現するためのＡＶユニット２と、ＮＡＶＩ機能を実現するためのＮＡＶＩユニット３と、ユーザの発話音声からこれらユニット２，３に対する操作指示を認識する音声操作認識装置４とからなる。そして、ＡＶユニット２，ＮＡＶＩユニット３，音声操作認識装置４が、車内に設置されたローカルエリアネットワーク（以下、車内ＬＡＮという）１０を介して、音声を出力するための音声出力部５と、画像を表示するための画像表示部６とに接続されている。
【００２３】
＜ＮＡＶＩユニットの構成＞
ＮＡＶＩユニット３は、車両の現在位置を検出する位置検出器１１と、地図データを入力する地図データ入力器１２と、ユーザからの各種指示（以下、ユーザ指示という）を直接入力するための操作スイッチ群１３と、リモコン１４ａを介してユーザ指示を入力するためのリモコンセンサ１４と、車両外部との無線通信を行う外部通信機１５と、これら各装置１１〜１５或いは車内ＬＡＮ１０を介した音声操作認識装置４からの入力に応じて各種処理を実行し、外部通信機１５の他に車内ＬＡＮ１０を介して音声出力部５，画像表示部６，ＡＶユニット２を制御するＮＡＶＩ制御部１６とを備えている。
【００２４】
このうち、位置検出器１１は、ＧＰＳ（Global Positioning System）用の人工衛星からの電波をＧＰＳアンテナＡｇを介して受信してその受信信号を出力するＧＰＳ受信機１１ａと、車両に加えられる回転運動の大きさを検出するジャイロスコープ１１ｂと、車両の前後方向の加速度等から走行した距離を検出するための距離センサ１１ｃと、地磁気から進行方位を検出するための地磁気センサ１１ｄとを備えている。そして、これら各センサ１１ａ〜１１ｄは、車両の現在位置や進行方向などを算出するための各検出信号を出力する。
【００２５】
地図データ入力器１２は、図示は省略するが、ハードディスクやＤＶＤ−ＲＡＭ等の書き込み可能な地図記憶媒体に記憶されている周知の地図データや案内用の音声データ、地図データ上の多種多様な施設に関する情報が記憶されている施設データ等の各種データを入力するための装置である。
【００２６】
操作スイッチ群１３は、画像表示部６の表示面と一体に構成されたタッチパネル及び画像表示部６の周囲に設けられたメカニカルなキースイッチ等から構成されている。なお、タッチパネルには、感圧方式，電磁誘導方式，静電容量方式，或いはこれらを組み合わせた方式など各種の方式があるが、そのいずれを用いてもよい。また、リモコン１４ａは、図示を省略するが、複数の操作スイッチが設けられ、ユーザによるスイッチ操作によりリモコンセンサ１４を介してユーザ指示を入力可能に構成されている。
【００２７】
外部通信機１５は、各種の情報収集機器などからの情報を入力するためのものであり、例えば道路近傍に配置されたＶＩＣＳ（Vehicle Information and Communication System；道路交通情報システム）サービス用の固定局から受信した電波ビーコン信号および光ビーコン信号などを入力すると共に、ＮＡＶＩ制御部１６からの入力に応じて車両情報やユーザ情報などを送信する。
【００２８】
ＮＡＶＩ制御部１６は、ＣＰＵ，ＲＯＭ，ＲＡＭ，Ｉ／Ｏ及びバスライン等からなる周知のマイクロコンピュータを中心に構成されており、ＲＯＭに記憶されたプログラムに従って、ＣＰＵが、位置検出器１１から入力される各検出信号と、地図データ入力器１２から読み込んだ各種データとに基づき、座標および進行方向の組として車両の現在位置を算出する位置算出処理を行う。
【００２９】
そして、ＮＡＶＩ制御部１６は、車両の現在位置が予め設定された行政区間（市や郡など）の境界線を越えると、車内ＬＡＮ１０を介してＡＶユニット２に後述するサーチ指令信号を出力すると共に、音声操作認識装置４から後述する位置要求信号が入力されると、位置算出処理の処理結果である位置情報を、車内ＬＡＮ１０を介して音声操作認識装置４に出力する。
【００３０】
また、ＮＡＶＩ制御部１６は、操作スイッチ群１３、リモコンセンサ１４、或いは音声操作認識装置４から入力されるユーザ指示に基づいて、現在位置から目的地までの最適な経路を自動的に求める経路計算処理や、目的地の周辺施設を検索する施設検索処理、車両の現在位置付近や所定範囲の地図を選択する地図選択処理などを行い、これらの処理結果を、車内ＬＡＮ１０を介して音声出力部５及び画像表示部６に出力する。
【００３１】
なお、本実施形態のＮＡＶＩ制御部１６は、操作スイッチ群１３又はリモコンセンサ１４を介して入力されるＡＶユニット２に対するユーザ操作を、車内ＬＡＮ１０を介してＡＶユニット２に出力するように構成されている。
【００３２】
＜ＡＶユニットの構成＞
ＡＶユニット２は、ＡＭ／ＦＭ放送の受信を行うＡＭ／ＦＭ用ラジオチューナ（以下、単に「ラジオチューナ」という）２１と、ＴＶ放送の受信を行うテレビチューナ２２と、ＣＤやＤＶＤに記憶された音声データや画像データを入力するＣＤ／ＤＶＤ再生機２３と、ハードディスクに記憶された音楽データを入力する音楽サーバ２４と、これら各装置２１〜２４の制御を行うＡＶ制御部２５とを備えている。
【００３３】
このうち、ラジオチューナ２１は、ラジオ放送局により電波出力塔を介して放送される電波（以下、放送信号という）を、ラジオアンテナＡｒを介して選局および受信すると共に、その受信した放送信号を復調して得られる音声データを、車内ＬＡＮ１０を介して音声出力部５に出力する。
【００３４】
ＡＶ制御部２５は、ＣＰＵ，ＲＯＭ，ＲＡＭ，Ｉ／Ｏ及びバスライン等からなる周知のマイクロコンピュータを中心に構成されており、ＲＯＭに記憶されるプログラムに基づいて、ＣＰＵが、各装置２１〜２４から入力される各種データを、車内ＬＡＮ１０を介して音声出力部５又は画像表示部６に出力するためのＡＶソースの切替やＡＭ／ＦＭラジオの選局といった再生制御処理を実行する。
【００３５】
また、ＡＶ制御部２５は、ＮＡＶＩユニット３からサーチ指令信号が入力されると、ラジオアンテナＡｒが受信可能な放送信号を、ＡＭ放送信号およびＦＭ放送信号毎にラジオチューナ２１を介してサーチし、受信強度がＡＭ／ＦＭ毎に予め設定された閾値を上回る放送信号を選択して、その選択した放送信号の周波数であるＡＭ周波数およびＦＭ周波数からなる周波数データ列を、車内ＬＡＮ１０を介して音声操作認識装置４に出力する。
【００３６】
＜音声認識装置の構成＞
音声操作認識装置４は、ユーザが発話する音声（以下、発話音声という）を集音する音声入力部３１と、音声入力部３１が集音した音声（以下、入力音声という）について音声認識を行う音声認識部３２と、音声認識部３２からの入力に基づいてユーザの操作指示を認識し、ＡＶユニット２やＮＡＶＩユニット３に対する制御コマンドを生成する操作認識部３３とを備えている。
【００３７】
次に、図２は、音声操作認識装置４の詳細を示すブロック図である。なお、音声認識部３２，操作認識部３３は、いずれも、ＣＰＵ，ＲＯＭ，ＲＡＭ，ＥＥＰＲＯＭ，ＤＳＰ（デジタルシグナルプロセッサ）等を備えた周知のマイクロコンピュータ上で実行される処理として実現される。
【００３８】
図２に示すように、音声認識部３２は、音声認識の認識対象となる各単語について、その単語を発話した時の音声の周波数スペクトルに現れる特徴を抽出してなる音声データ５１（図３参照）を登録した音声辞書４２を備えている。なお、本実施形態の音声辞書４２は、図３に示すように、放送局名６１（図６参照）を含む語彙を表す語彙データ５２と、語彙（つまり名称）の読み方を表す名称読みデータ５３とが、音声データ５１に対応づけられて記憶されている。
【００３９】
そして、音声認識部３２では、まず、入力音声の波形をＦＦＴ（高速フーリエ変換）することにより周波数スペクトルを求め、入力音声の特徴を抽出するスペクトル分析処理４１を実行する。
【００４０】
このスペクトル分析処理４１により入力音声の音声データ５１が抽出されると、この抽出された音声データ５１と、音声辞書４２に登録された音声データ５１とを比較して最も尤度（類似度）が高い語彙データ５２を抽出し、その抽出結果（マッチングの有無を含む）を操作認識部３３に通知する音声マッチング処理４３を実行する。
【００４１】
なお、本実施形態の音声マッチング処理４３では、音声データ５１に対応する語彙データ５２があった場合、その語彙データ５２を操作認識部３３に出力する。また、この音声マッチング処理４３は、周知の技法を用いればよく、例えば、ニューラルネット、ＤＰ（Dynamic Programming）マッチング、ＨＭＮ（Hidden Markov Model）等を用いることができる。
【００４２】
一方、操作認識部３３は、図２に示すように、語彙データ５２に対応する操作指令を登録した書き替え可能な認識辞書４４を備えている。なお、本実施形態の認識辞書４４は、操作認識部３３内のＥＥＰＲＯＭに記憶され、図４に示すように、放送局名６１（図６参照）を少なくとも含む語彙データ５２と、その放送局名６１に対する周波数６２（図６参照）に選局するための選局指令を少なくとも含む指令データ５４とが対応づけられて記憶されている。
【００４３】
そして、操作認識部３３では、まず、前述した音声マッチング処理４３により入力音声の音声データ５１に対応する語彙データ５２が入力されると、認識辞書４４を参照して語彙データ５２に対応する指令データ５４を選択する指令選択処理４５を実行する。
【００４４】
この指令選択処理４５により入力音声の指令データ５４が選択されると、この選択された指令データ５４に基づく制御コマンドを、車内ＬＡＮ１０を介してＡＶユニット２又はＮＡＶＩユニット３に出力する指令出力処理４６を実行する。例えば、指令出力処理４６では、指令選択処理４５により選択された指令データ５４が選局指令を示す場合、その選局指令に基づく周波数に選局するための制御コマンドを、車内ＬＡＮ１０を介してＡＶ制御部２５（図１参照）に出力する。
【００４５】
また、操作認識部３３内のＥＥＰＲＯＭには、図２に示すように、ＡＭ放送局とＦＭ放送局に関する各種情報を登録した放送局テーブル４７と、ＡＭ放送局のうち同一番組をＡＭ信号及びＦＭ信号で配信する複数の放送局名６１（図６参照）を登録した同一名称リスト４８（図５参照）とが格納されている。
【００４６】
なお、本実施形態の放送局テーブル４７は、図６に示すように、放送局名６１と、その放送局名６１に対する一ないし複数の周波数６２と、その周波数６２の放送信号を発信する電波出力塔の所在地名６３と、その所在地名６３を有する電波出力塔がカバーする放送エリア６４とが対応づけられている。ちなみに、放送エリア６４は、緯度および経度で表される電波出力塔の位置情報と、その電波出力塔から発信される放送信号の発信強度とに基づいて算出された領域が登録されている。
【００４７】
そして、操作認識部３３では、認識辞書４４の語彙データ５２及び指令データ５４に含まれる放送局名６１及び周波数６２を更新する辞書更新処理４９を実行する。
＜辞書更新処理＞
ここで、図７は、操作認識部３３が実行する辞書更新処理４９の詳細を示すフローチャートである。
【００４８】
図７に示すように、辞書更新処理４９は、車内ＬＡＮ１０を介してＡＶ制御部２５から周波数データ列を入力すると開始され、まず、放送局テーブル４７を参照して、周波数データ列に含まれているＡＭ周波数およびＦＭ周波数に対応する放送局名６１を選択し（Ｓ１１０）、車内ＬＡＮ１０を介してＮＡＶＩ制御部１６に位置要求信号を出力することによって位置情報をＮＡＶＩユニット３から取得する（Ｓ１２０）。
【００４９】
次に、先のＳ１１０で選択した放送局名６１が同一名称リスト４８に含まれているか否かを検索し（Ｓ１３０）、同一名称リスト４８に含まれていると判断した場合（Ｓ１４０；ＹＥＳ）、放送局テーブル４７から、先のＳ１２０で取得した位置情報に基づいて規定される優先条件に従って一つの周波数６２を選択する（Ｓ１５０）。但し、先のＳ１１０で選択した放送局名６１が同一名称リスト４８に含まれていない場合（Ｓ１４０；ＮＯ）には、Ｓ１５０を省略する。
【００５０】
なお、本実施形態の優先条件は、車両の現在位置が、同一の放送局名６１に対するＡＭ信号の放送エリア６４とＦＭ信号の放送エリア６４とが重なる領域（以下、混信エリアという）内であれば、ＦＭ信号の放送エリア６４に対応する周波数６２を選択し、混信エリア内でなければ、ＡＭ信号の放送エリア６４に対応する周波数６２を選択するように規定されている。
【００５１】
ちなみに、本実施形態の優先条件は、例えば富山県を放送エリアとする北日本放送のように、自局の放送エリア内にアジア近隣諸国（韓国など）からの放送との混信が激しい地域（即ち、混信エリア）を有するＡＭ放送局が存在し、このようなＡＭ放送局が、混信を回避するために、混信エリア用の電波出力塔を別途設けて、その電波出力塔から同じＡＭ番組をＦＭ放送で発信している現状に基づいている。
【００５２】
そして、先のＳ１１０及びＳ１５０で選択した放送局名６１及び周波数６２に、認識辞書４４の語彙データ５２及び指令データ５４に含まれる放送局名６１及び周波数６２を更新し（Ｓ１６０）、辞書更新処理を終了する。
【００５３】
なお、上記実施形態において、音声認識部３２が語彙抽出手段、操作認識部３３内のＥＥＰＲＯＭが辞書記憶手段，テーブル記憶手段，及びリスト記憶手段、指令選択処理４５が指令選択手段、指令出力処理４６が指令出力手段、Ｓ１２０が位置取得手段、Ｓ１１０が局名選択手段、Ｓ１５０が周波数選択手段、Ｓ１６０が辞書更新手段に相当する。
【００５４】
＜本実施形態の効果＞
以上説明したように、本実施形態の音声操作認識装置４では、ユーザが放送局名６１を発話した時の入力音声に基づく選局指令を認識し、その認識した選局指令に基づく制御コマンドを、車内ＬＡＮ１０を介してＡＶ制御部２５（ラジオチューナ２１）に出力すると共に、選局指令を認識する時に用いられる認識辞書４４を、車両の現在位置に応じた放送局名６１と周波数６２とを一対一に対応させたものに自動更新する。
【００５５】
したがって、本実施形態の音声操作認識装置４によれば、ユーザにより発話された放送局名６１に対して選局するための周波数６２が、周波数６２を識別するためのいわゆる対話方式を用いることなく一意に決まるため、ユーザの発話音声により適切な選局を自動的に行うことができる。
【００５６】
また、本実施形態のＡＶＮシステム１では、ＮＡＶＩユニット３が、車両の現在位置が予め設定された行政区間（市や郡など）の境界線を越えると、ＡＶユニット２にサーチ指令信号を出力し、このサーチ指令信号を入力したＡＶユニット２が、受信強度が高い放送信号の周波数からなる周波数データ列を音声操作認識装置４に出力し、音声操作認識装置４が、周波数データ列を入力すると、辞書更新処理４９を実行する。
【００５７】
したがって、本実施形態のＡＶＮシステム１によれば、一般的な電波出力塔の放送エリアより狭い領域毎に認識辞書４４を自動更新するため、ユーザの発話音声により適切な選局を行うための事前準備を確実に行うことができる。
【００５８】
なお、本実施形態のＡＶＮシステム１では、音声操作認識装置４が、車内ＬＡＮ１０を介してＡＶユニット２及びＮＡＶＩユニット３に接続されているため、ハンズビジーやアイズビジーの状況にあっても、運転者が発話するだけで、オーディオ操作とナビゲーション操作とを共に実現することができる。
【００５９】
［他の実施形態］
以上、本発明の実施形態について説明したが、本発明は上記実施形態に限定されるものではなく、本発明の要旨を逸脱しない範囲において、様々な態様にて実施することが可能である。
【００６０】
例えば、上記実施形態のＡＶＮシステム１では、音声操作認識装置４が、車内ＬＡＮ１０を介してＡＶユニット２及びＮＡＶＩユニット３に接続されているが、これらに限らず、エアコン等の他装置にも接続されていてもよい。
【００６１】
また、上記実施形態の音声操作認識装置４は、認識辞書４４や、放送局テーブル４７、同一名称リスト４８を、操作認識部３３内のＥＥＰＲＯＭに格納しているが、これに限定されるものではなく、認識辞書４４は、書き替え可能な他のメモリ（ＲＡＭ等）に格納されていてもよいし、放送局テーブル４７及び同一名称リスト４８は、不揮発性の他のメモリ（ＲＯＭ等）に格納されていてもよい。
【００６２】
なお、上記実施形態の辞書更新処理４９は、受信強度が高い放送信号の周波数からなる周波数データ列を入力すること（ひいては、車両の現在位置が予め設定された行政区間（市や郡など）の境界線を越えること）をトリガとして開始されるが、これに限るものではなく、例えば車両のイグニッションスイッチのオン時や一定時間経過時などをトリガとしても構わない。
【００６３】
さらに言えば、上記実施形態の辞書更新処理４９は、ラジオチューナ２１に対する選局指令の更新に適用されているが、これに限らずに、例えばテレビ放送局の放送エリア内で混信エリアが存在する状況が発生し、その混信エリア用の電波出力塔から例外的に異なる周波数を発信するようになれば、テレビチューナ２２に対する選局指令の更新に適用されてもよい。
【図面の簡単な説明】
【００６４】
【図１】本実施形態のＡＶＮシステム１の構成を示すブロック図。
【図２】本実施形態の音声操作認識装置４の詳細を示すブロック図
【図３】音声認識部３２が備える音声辞書４２を説明するための一覧表。
【図４】操作認識部３３が備える認識辞書４４を説明するための一覧表。
【図５】操作認識部３３が備える同一名称リスト４８を説明するための一覧表。
【図６】操作認識部３３が備える放送局テーブル４７を説明するための一覧表。
【図７】操作認識部３３が実行する辞書更新処理４９の詳細を示すフローチャート。
【符号の説明】
【００６５】
１…ＡＶＮシステム、２…ＡＶユニット、３…ＮＡＶＩユニット、４…音声操作認識装置、５…音声出力部、６…画像表示部、１０…車内ＬＡＮ、１１…位置検出器、１２…地図データ入力器、１６…ＮＡＶＩ制御部、２１…ラジオチューナ、２２…テレビチューナ、２５…ＡＶ制御部、３１…音声入力部、３２…音声認識部、３３…操作認識部、４１…スペクトル分析処理、４２…音声辞書、４３…音声マッチング処理、４４…認識辞書、４５…指令選択処理、４６…指令出力処理、４７…放送局テーブル、４８…同一名称リスト、４９…辞書更新処理。
【図１】
0005167946.tif 000002
【図２】
0005167946.tif 000003
【図３】
0005167946.tif 000004
【図４】
0005167946.tif 000005
【図５】
0005167946.tif 000006
【図６】
0005167946.tif 000007
【図７】
0005167946.tif 000008